(57)【要約】【課題】  用紙の両面にトナー画像を形成するにあたり、画像形成装置を使用する環境条件が変化した場合にも、片面にトナー像が形成された用紙が戻し経路からレジストローラーに適切に導かれて画像形成経路に送り出され、用紙の両面にトナー画像が適切に形成されるようにする。【解決手段】  片面にトナー画像が形成された用紙Ｓを、折返し状になった戻し経路Ｌ２に設けられた上ガイド部材３１と下ガイド部材３２との間を通してレジストローラー１５に導くにあたり、環境センサー４０によって検知された使用環境条件に基づいて、角度調整手段５０により、上ガイド部材３１と下ガイド部材３２との間を通してレジストローラー１５に導く用紙Ｓの角度を調整するようにした。【選択図】  図１
2013160931.tif 000002
【特許請求の範囲】
【請求項１】
レジストローラーによって導かれた用紙を搬送させて、この用紙にトナー画像を形成する画像形成経路と、片面にトナー画像が形成された用紙を反転させて搬送させる反転搬送経路と、この反転搬送経路によって搬送されてきた用紙を前記のレジストローラーに導く折返し状になった戻し経路とを備えた画像形成装置において、使用環境条件を検知する環境センサーと、前記の戻し経路において用紙を案内する上ガイド部材及び下ガイド部材と、この上ガイド部材と下ガイド部材との間を通して用紙を前記のレジストローラーに導く角度を調整する角度調整手段とを設け、前記の環境センサーによって検知された使用環境条件に基づいて、前記の角度調整手段により、上ガイド部材と下ガイド部材との間を通してレジストローラーに導く用紙の角度を調整することを特徴とする画像形成装置。
【請求項２】
請求項１に記載の画像形成装置において、用紙を前記のレジストローラーに案内する前ガイド部材が設けられ、前記の角度調整手段により、上ガイド部材と下ガイド部材との間を通して前ガイド部材に導かれる用紙の角度を調整することを特徴とする画像形成装置。
【請求項３】
請求項２に記載の画像形成装置において、前記の角度調整手段により、上ガイド部材と下ガイド部材との間を通して前ガイド部材に導かれる用紙の角度を調整するにあたり、前記の環境センサーによって検知された湿度が低い場合には、前ガイド部材に対する用紙の突入角度を大きくする一方、環境センサーによって検知された湿度が高い場合には、前ガイド部材に対する用紙の突入角度を小さくすることを特徴とする画像形成装置。
【請求項４】
請求項１〜請求項３の何れか１項に記載の画像形成装置において、前記の下ガイド部材を用紙の送り方向上流側と下流側とに分割させると共に、少なくとも用紙の送り方向下流側における下流側下ガイド部材を用紙の送り方向と交差する方向に回動可能に設け、この下流側下ガイド部材を前記の角度調整手段により回動させて、用紙をレジストローラーに導く角度を調整することを特徴とする画像形成装置。
【請求項５】
請求項１〜請求項４の何れか１項に記載の画像形成装置において、前記の下ガイド部材と上ガイド部材とを用紙の送り方向上流側と下流側とに分割させると共に、少なくとも用紙の送り方向下流側における下流側下ガイド部材と下流側上ガイド部材とを用紙の送り方向と交差する方向に回動可能に設け、この下流側下ガイド部材と下流側上ガイド部材とを前記の角度調整手段により回動させて、用紙をレジストローラーに導く角度を調整することを特徴とする画像形成装置。
【発明の詳細な説明】
【技術分野】
【０００１】
本発明は、複写機、プリンタ、ファクシミリ及びこれらの複合機等の画像形成装置に関するものである。特に、用紙の両面にトナー画像を形成するように、レジストローラーによって導かれた用紙を搬送させて、この用紙にトナー画像を形成する画像形成経路と、片面にトナー画像が形成された用紙を反転させて搬送させる反転搬送経路と、この反転搬送経路によって搬送されてきた用紙を前記のレジストローラーに導く折返し状になった戻し経路とを備えた画像形成装置において、画像形成装置を使用する環境条件が変化して、片面にトナー像が形成された用紙がカールした場合にも、この用紙が前記の折返し状になった戻し経路を通して適切にレジストローラーに導かれて、画像形成経路に適切に送り出されるようにした点に特徴を有するものである。
【背景技術】
【０００２】
複写機、プリンタ、ファクシミリ及びこれらの複合機等の画像形成装置においては、用紙の片面だけではなく、用紙の両面にトナー画像を形成させるようにしたものが存在している。
【０００３】
ここで、このような画像形成装置においては、給紙装置により給紙された用紙を一対のレジストローラー間に導き、このレジストローラーによって前記の用紙を画像形成経路に導き、この画像形成経路に設けられた画像形成部において用紙の片面にトナー画像を転写させ、このように転写されたトナー画像を定着装置により用紙に定着させて、用紙の片面にトナー画像を形成するようにしている。
【０００４】
そして、このように片面にトナー画像が形成された用紙の反対側の面にトナー画像を形成して、用紙の両面にトナー画像を形成する場合には、トナー画像が形成された用紙を反転搬送経路において反転させて搬送し、このように反転された用紙を反転搬送経路から折返し状になった戻し経路を通して前記の一対のレジストローラー間に導き、このレジストローラーによって片面にトナー画像が形成された用紙を画像形成経路に導くようにしている。
【０００５】
このようにトナー画像が形成された用紙を反転搬送経路において反転させて搬送させ、この反転搬送経路から反転された用紙を折返し状になった戻し経路を通してレジストローラーに導くにあたり、従来においては、図１に示すように、前記の戻し経路ａにおいて用紙Ｓを案内する上ガイド部材１ａと下ガイド部材１ｂとを設け、この上ガイド部材１ａと下ガイド部材１ｂとの間を通して導かれた用紙Ｓを、一対の前ガイド部材２の間を通して一対のレジストローラー３間に導き、この一対のレジストローラー３によって用紙Ｓを画像形成経路ｂに導くようにしている。
【０００６】
しかし、前記のように転写されたトナー画像を定着装置により用紙に定着させる場合、定着時における熱や圧力によって用紙がカールすると共に、湿度等の影響により、用紙のカールする方向が、トナー画像が形成された画像面側と非画像面側とに変化し、特に、湿度が高い場合には、用紙のカールする量が大きくなった。
【０００７】
このため、図１に示すように、上ガイド部材１ａと下ガイド部材１ｂとの間を通して導かれた用紙Ｓを、前ガイド部材２を介して一対のレジストローラー３間に導くようにした場合に、図２（Ａ），（Ｂ）に示すように、前記のようにカールした用紙Ｓの先端が前ガイド部材２やレジストローラー３に当たって、用紙Ｓが画像面側や非画像面側に折れ曲がり、この状態で、用紙Ｓがレジストローラー３から画像形成経路ｂに導かれると、用紙詰まりが発生したり、用紙に耳折れや皺等が発生したりして、適切な画像形成が行えなくなるという問題があった。
【０００８】
また、従来においては、特許文献１に示されるように、複数の搬送路が合流する画像形成装置において、複数の搬送路から搬送されるシートを一対のガイド板を介して一対のレジストローラー間に導くにあたり、一対のガイド板間の間隔を一定に保ちながら、この一対のガイド板を移動させて、各搬送路から搬送されるシートを一対のレジストローラー間に適切に導くようにしたものが提案されている。
【０００９】
しかし、このように一対のガイド板を移動させると、このガイド板の間を通して搬送される用紙の位置がずれて、用紙をレジストローラー間に適切に導くことができなくなり、またこのようにした場合においても、前記のようにカールした用紙が導かれると、カールした用紙の先端がガイド部材やレジストローラーに当たって、画像面側や非画像面側に折れ曲がるのを適切に防止することはできなかった。
【００１０】
また、特許文献２においては、複数の搬送路が合流する点よりも用紙搬送方向下流側にレジストローラー対が設けられた画像形成装置において、レジストローラー対よりも用紙搬送方向上流側に設けられた一対の固定搬送ガイドとレジストローラー対との間の空間に、可動搬送ガイドを揺動自在に設け、この可動搬送ガイドと一方の固定搬送ガイドとの間を通して、用紙をレジストローラー対に導くようにしたものが示されている。
【００１１】
しかし、可動搬送ガイドが揺動すると、この可動搬送ガイドと一方の固定搬送ガイドとの間を通して搬送される用紙の位置がずれて、用紙をレジストローラー対の間に適切に導くことができなくなり、また可動搬送ガイドと反対側にカールした用紙が導かれた場合、この用紙が固定搬送ガイドに当たって折れ曲がり、依然として、用紙詰まりが発生したり、用紙に耳折れや皺等が発生したりするという問題があった。
【先行技術文献】
【特許文献】
【００１２】
【特許文献１】特開２００５−１６２３８１号公報
【特許文献２】特開２００４−３５４４２２号公報
【発明の概要】
【発明が解決しようとする課題】
【００１３】
本発明は、画像形成経路を通して片面にトナー画像が形成された用紙を、反転搬送経路において反転させて搬送させ、反転された用紙を反転搬送経路から折返し状になった戻し経路を通してレジストローラーに導いて画像形成経路に送り、トナー画像が形成された面と反対側の面にトナー画像を形成して、用紙の両面に画像を形成するにあたり、画像形成装置を使用する環境条件が変化して、片面にトナー像が形成された用紙がカールした場合にも、この用紙が折返し状になった戻し経路からレジストローラーに適切に導かれて画像形成経路に送り出され、用紙の両面にトナー画像を適切に形成できるようにすることを課題とするものである。
【課題を解決するための手段】
【００１４】
本発明における画像形成装置においては、前記のような課題を解決するため、レジストローラーによって導かれた用紙を搬送させて、この用紙にトナー画像を形成する画像形成経路と、片面にトナー画像が形成された用紙を反転させて搬送させる反転搬送経路と、この反転搬送経路によって搬送されてきた用紙を前記のレジストローラーに導く折返し状になった戻し経路とを備えた画像形成装置において、使用環境条件を検知する環境センサーと、前記の戻し経路において用紙を案内する上ガイド部材及び下ガイド部材と、この上ガイド部材と下ガイド部材との間を通して用紙を前記のレジストローラーに導く角度を調整する角度調整手段とを設け、前記の環境センサーによって検知された使用環境条件に基づいて、前記の角度調整手段により、上ガイド部材と下ガイド部材との間を通してレジストローラーに導く用紙の角度を調整するようにした。
【００１５】
そして、この画像形成装置において、片面にトナー画像が形成された用紙を、戻し経路に設けられた上ガイド部材と下ガイド部材との間を通してレジストローラーに導くにあたり、前記のように環境センサーによって検知された使用環境条件に基づいて、角度調整手段により上ガイド部材と下ガイド部材との間を通して用紙を画像形成経路に導く角度を調整すると、片面にトナー画像が形成された用紙が画像面側と非画像面側との何れの方向にカールした場合においても、この用紙が上ガイド部材と下ガイド部材との間を通してレジストローラーに適切に導かれるようになる。
【００１６】
ここで、上記の画像形成装置において、用紙をレジストローラーに案内する前ガイド部材を設けている場合には、前記の角度調整手段により、上ガイド部材と下ガイド部材との間を通して前ガイド部材に導かれる用紙の角度を調整させるようにする。
【００１７】
そして、前記のように環境センサーによって検知された使用環境条件に基づいて、角度調整手段により、上ガイド部材と下ガイド部材との間を通して前ガイド部材に導かれる用紙の角度を調整するにあたっては、前記の環境センサーによって検知された湿度が低く、片面にトナー画像が形成された用紙が画像面側に向けてカールした場合には、前ガイド部材に対する用紙の突入角度が大きくなるようにする一方、環境センサーによって検知された湿度が高く、片面にトナー画像が形成された用紙が非画像面側に向けてカールした場合には、前ガイド部材に対する用紙の突入角度が小さくなるようにする。
【００１８】
また、前記のように角度調整手段により上ガイド部材と下ガイド部材との間を通して用紙を画像形成経路に導く角度を調整するにあたっては、前記の下ガイド部材を用紙の送り方向上流側と下流側とに分割させると共に、少なくとも用紙の送り方向下流側における下流側下ガイド部材を用紙の送り方向と交差する方向に回動可能に設け、この下流側下ガイド部材を前記の角度調整手段により回動させて、用紙をレジストローラーに導く角度を調整させることができる。さらに、前記の下ガイド部材と上ガイド部材とを用紙の送り方向上流側と下流側とに分割させると共に、少なくとも用紙の送り方向下流側における下流側下ガイド部材と下流側上ガイド部材とを用紙の送り方向と交差する方向に回動可能に設け、この下流側下ガイド部材と下流側上ガイド部材とを前記の角度調整手段により回動させて、用紙をレジストローラーに導く角度を調整させることができる。
【発明の効果】
【００１９】
本発明の画像形成装置においては、前記のように片面にトナー画像が形成された用紙を、戻し経路に設けられた上ガイド部材と下ガイド部材との間を通してレジストローラーに導くにあたり、前記のように環境センサーによって検知された使用環境条件に基づいて、角度調整手段により上ガイド部材と下ガイド部材との間を通して用紙をレジストローラーに導く角度を調整したため、片面にトナー画像が形成された用紙が画像面側と非画像面側との何れの方向にカールした場合においても、この用紙が上ガイド部材と下ガイド部材との間を通してレジストローラーに適切に導かれて、画像形成経路に送り出されるようになる。
【００２０】
この結果、本発明の画像形成装置においては、片面にトナー画像が形成された用紙が、湿度等の使用環境条件により画像面側や非画像面側にカールした場合においても、用紙詰まりが発生したり、用紙に耳折れや皺等が発生したりするのが防止され、用紙の両面に適切な画像形成が行えるようになる。
【図面の簡単な説明】
【００２１】
【図１】従来の画像形成装置において、片面にトナー画像が形成された用紙を、折返し状になった戻し経路に設けられた上ガイド部材と下ガイド部材との間を通して一対のレジストローラー間に導く状態を示した概略説明図である。
【図２】従来の画像形成装置において、片面にトナー画像が形成された用紙が折れ曲がった状態で、戻し経路に設けられた上ガイド部材と下ガイド部材との間を通して一対のレジストローラー間に導かれる状態を示し、（Ａ）は片面にトナー画像が形成された用紙が画像面側に折れ曲がった状態を、（Ｂ）は非画像面側に折れ曲がった状態を示した概略説明図である。
【図３】本発明の実施形態に係る画像形成装置において、用紙にトナー画像を形成する状態を示した概略説明図である。
【図４】前記の実施形態に係る画像形成装置において、片面にトナー画像が形成された用紙を、戻し経路に設けられた上ガイド部材と下ガイド部材との間を通して前ガイド部材から一対のレジストローラー間に導く構成を示し、（Ａ）は上ガイド部材と下ガイド部材との間を通して前ガイド部材に導かれる用紙の突入角度を大きくした状態を示した概略説明図、（Ｂ）は上ガイド部材と下ガイド部材との間を通して前ガイド部材に導かれる用紙の突入角度を小さくした状態を示した概略説明図である。
【図５】前記の実施形態に係る画像形成装置において、上ガイド部材と下ガイド部材との間を通して前ガイド部材に導かれる用紙の突入角度を調整する角度調整手段の例を示し、（Ａ）はソレノイドシリンダーをオフさせて、上ガイド部材と下ガイド部材との間を通して前ガイド部材に導かれる用紙の突入角度を大きくする状態を示した概略説明図、（Ｂ）はソレノイドシリンダーをオンさせて、上ガイド部材と下ガイド部材との間を通して前ガイド部材に導かれる用紙の突入角度を小さくした状態を示した概略説明図である。
【図６】前記の実施形態に係る画像形成装置において、角度調整手段にソレノイドシリンダーを用い、上ガイド部材と下ガイド部材との間を通して前ガイド部材に導かれる用紙の突入角度を変更させて、片面にトナー画像が形成された用紙を戻し経路からレジストローラーを通して画像形成経路に搬送させる動作を示したフローチャートである。
【発明を実施するための形態】
【００２２】
次に、本発明の実施形態に係る画像形成装置を添付図面に基づいて具体的に説明する。なお、本発明に係る画像形成装置は、下記の実施形態に示したものに限定されず、その要旨を変更しない範囲において適宜変更して実施できるものである。
【００２３】
この実施形態における画像形成装置１０においては、図３に示すように、給紙トレイ１１に収容された用紙Ｓを、バネ１１ａにより上方に付勢された押上板１１ｂによって押し上げ、この用紙Ｓを給紙ローラー１２により給紙させるようにしている。
【００２４】
そして、このように給紙された用紙Ｓを搬送ローラー１３に導き、この搬送ローラー１３を通して用紙Ｓを一対のレジストローラー１５間に導き、このレジストローラー１５により、用紙Ｓを画像形成部２０における画像形成動作に合わせて適当なタイミングで画像形成経路Ｌ１に導くようにしている。
【００２５】
ここで、前記の画像形成部２０においては、イエロー（Ｙ）、マゼンタ（Ｍ）、シアン（Ｃ）、ブラック（Ｋ）の各色彩のトナーを収容させた４つの画像形成ユニット２１Ｙ、２１Ｍ、２１Ｃ、２１Ｋにおいて、それぞれ画像データに基づいた各色彩のトナー画像を、それぞれの感光体２２の表面に形成するようにしている。
【００２６】
そして、このように各画像形成ユニット２１Ｙ、２１Ｍ、２１Ｃ、２１Ｋにおける各感光体２２に形成されたそれぞれの色彩のトナー画像を、回転駆動される無端状の中間転写ベルト２３の表面に順次転写させて、この中間転写ベルト２３の表面にフルカラーのトナー画像を形成するようにしている。
【００２７】
次いで、このように中間転写ベルト２３の表面に形成されたフルカラーのトナー画像を、回転駆動される中間転写ベルト２３によって２次転写ローラー２４と対向する位置に導くと共に、前記のレジストローラー１５によって用紙Ｓを中間転写ベルト２３と２次転写ローラー２４との間に導き、中間転写ベルト２３に形成されたトナー画像を用紙Ｓの片面に転写させるようにしている。
【００２８】
そして、このように片面にトナー画像が転写された用紙Ｓを定着ローラー２５間に導き、この定着ローラー２５により前記のトナー画像を用紙Ｓの片面に加熱定着させて、用紙Ｓの片面にトナー画像を形成し、このようにして片面にトナー画像が形成された用紙Ｓを排出反転ローラー１６に導くようにしている。
【００２９】
ここで、用紙Ｓの片面にだけトナー画像を形成する場合には、上記の排出反転ローラー１６を正転させ、この排出反転ローラー１６によりトナー画像が片面に形成された用紙Ｓを排紙部１７に排紙するようにしている。
【００３０】
一方、用紙Ｓの両面にトナー画像を形成する場合には、前記の排出反転ローラー１６を反転させ、片面にトナー画像が形成された用紙Ｓを反転させて反転搬送経路Ｌ２に導き、この用紙Ｓを反転搬送経路Ｌ２に沿って搬送させて折返し状になった戻し経路Ｌ３に導くようにしている。
【００３１】
そして、片面にトナー画像が形成された用紙Ｓを反転させた状態で、この戻し経路Ｌ３から前記のレジストローラー１５間に導き、このレジストローラー１５により、前記のように用紙Ｓを画像形成部２０における画像形成動作に合わせて適当なタイミングで画像形成経路Ｌ１に搬送するようにしている。
【００３２】
そして、この画像形成経路Ｌ１において、前記のようにしてトナー画像が形成された面と反対側における用紙Ｓの面にトナー画像を形成し、両面にトナー画像が形成された用紙Ｓを、前記の排出反転ローラー１６により排紙部１７に排紙するようにしている。
【００３３】
ここで、反転搬送経路Ｌ２から戻し経路Ｌ３に導かれた用紙Ｓを、この戻し経路Ｌ３からレジストローラー１５間に導くにあたり、この実施形態における画像形成装置１０においては、図４（Ａ），（Ｂ）に示すように、前記の戻し経路Ｌ３において用紙Ｓを案内する上ガイド部材３１と下ガイド部材３２とを設けると共に、この上ガイド部材３１と下ガイド部材３２との間を通して搬送される用紙Ｓを前記のレジストローラー１５間に導く一対の前ガイド部材３３ａ，３３ｂを設けている。
【００３４】
そして、この実施形態においては、上記の上ガイド部材３１と下ガイド部材３２とをそれぞれ用紙の送り方向上流側と下流側とで分割させ、上ガイド部材３１を上流側上ガイド部材３１ａと下流側上ガイド部材３１ｂとに、下ガイド部材３２を上流側下ガイド部材３２ａと下流側下ガイド部材３２ｂとに分割させている。
【００３５】
また、前記の上ガイド部材３１においては、上流側上ガイド部材３１ａに長穴からなる案内穴３１ｃを設ける一方、下流側上ガイド部材３１ｂに支点ピン３１ｄを突出するように設け、この下流側上ガイド部材３１ｂにおける支点ピン３１ｄを、上流側上ガイド部材３１ａにおける案内穴３１ｃ内に挿通させて、上流側上ガイド部材３１ａと下流側上ガイド部材３１ｂとを回動可能に接続させると共に、下流側上ガイド部材３１ｂの下流側先端にＰＥＴ等で構成されたガイドプレート３１ｅを設けている。
【００３６】
また、前記の下ガイド部材３２においても、上流側下ガイド部材３２ａに長穴からなる案内穴３２ｃを設ける一方、下流側下ガイド部材３２ｂに支点ピン３２ｄを突出するように設け、この下流側下ガイド部材３２ｂにおける支点ピン３２ｄを、上流側下ガイド部材３２ａにおける案内穴３１ｃ内に挿通させて、上流側下ガイド部材３２ａと下流側下ガイド部材３２ｂとを回動可能に接続させると共に、下流側下ガイド部材３２ｂの下流側先端にＰＥＴ等で構成されたガイドプレート３２ｅを設けている。
【００３７】
そして、この実施形態においては、画像形成装置１０の内部や外部の湿度を環境センサー４０によって検知し、この環境センサー４０によって検知された湿度に基づいて、角度調整手段５０により、前記の上ガイド部材３１と下ガイド部材３２との間を通して前記の前ガイド部材３３ａ，３３ｂに導く用紙Ｓの突入角度θを調整するようにしている。
【００３８】
例えば、環境センサー４０によって検知された湿度が低く、前記の用紙Ｓが画像面側、すなわち下ガイド部材３２から上ガイド部材３１に向けてカールしている場合には、図４（Ａ）に示すように、前記の下流側上ガイド部材３１ｂ及び下流側下ガイド部材３２ｂの先端側を下方に回動させた状態にし、下流側下ガイド部材３２ｂの下流側先端に設けられたガイドプレート３２ｅから前記の前ガイド部材３３ａに導かれる用紙Ｓの突入角度θを大きくする。このようにすると、画像面側にカールした用紙Ｓの先端が、前記の前ガイド部材３３ａから対向する他方の前ガイド部材３３ｂに折れ曲がった状態で導かれるのが抑制され、用紙Ｓが前ガイド部材３３ａ，３３ｂから前記のレジストローラー１５間に適切に導かれるようになる。
【００３９】
一方、環境センサー４０によって検知された湿度が高くなって、前記の用紙Ｓが非画像面側、すなわち上ガイド部材３１から下ガイド部材３２に向けてカールしている場合には、図４（Ｂ）に示すように、前記の下流側上ガイド部材３１ｂ及び下流側下ガイド部材３２ｂの先端側を上方に回動させた状態にし、下流側下ガイド部材３２ｂの下流側先端に設けられたガイドプレート３２ｅから前記の前ガイド部材３３ａに導かれる用紙Ｓの突入角度θを小さくする。このようにすると、非画像面側にカールした用紙Ｓの先端が曲がった状態で前記の前ガイド部材３３ａに衝突して折れ曲がるのが抑制され、用紙Ｓが前ガイド部材３３ａ，３３ｂから前記のレジストローラー１５間に適切に導かれるようになる。
【００４０】
このため、環境の変化等により、片面にトナー画像が形成された用紙Ｓが画像面側や非画像面側にカールした状態で、戻し経路Ｌ３に設けられた上ガイド部材３１と下ガイド部材３２との間に導かれたとしても、カールした用紙Ｓの先端が折れ曲がったりすることなく、前ガイド部材３３ａ，３３ｂからレジストローラー１５間に適切に導かれ、このレジストローラー１５から画像形成経路Ｌ１に適切に搬出されるようになる。
【００４１】
この結果、用紙Ｓの搬送途中で詰まりが発生したり、用紙Ｓに耳折れや皺等が発生したりするのが防止され、用紙Ｓの両面に適切な画像形成が行えるようになる。
【００４２】
ここで、上記の角度調整手段５０は、前記の上ガイド部材３１と下ガイド部材３２との間を通して前記の前ガイド部材３３ａ，３３ｂに導く用紙Ｓの突入角度θを調整できるものであれば特に限定されない。
【００４３】
例えば、図５（Ａ），（Ｂ）に示す角度調整手段５０においては、ソレノイドシリンダー５１において上下方向に伸縮するプランジャー５１ａに、一端を回動支点５２ａとする作動レバー５２の他端を回動可能に取り付けると共に、この作動レバー５２に長穴のガイド穴５２ｂを設け、このガイド穴５２ｂ内に前記の下流側下ガイド部材３２ｂにおける支点ピン３２ｄを挿通させている。また、この作動レバー５２の上にガイド保持レバー５３を設けると共に、このガイド保持レバー５３に長穴のガイド穴５３ａを設け、このガイド穴５３ａ内に前記の下流側上ガイド部材３１ｂにおける支点ピン３１ｄを挿通させている。さらに、前記の作動レバー５２には、プランジャー５１ａを上方に伸長させた状態で、前記の下流側下ガイド部材３２ｂを保持する保持バネ５４を設けている。
【００４４】
そして、この角度調整手段５０において、上記のソレノイドシリンダー５１をオフした状態では、上記の保持バネ５４により、作動レバー５２のプランジャー５１ａが上方に伸長された状態で維持され、前記の図４（Ａ）に示すように、前記の下流側上ガイド部材３１ｂ及び下流側下ガイド部材３２ｂの先端側が下方に回動された状態になって、下流側下ガイド部材３２ｂの下流側先端に設けられたガイドプレート３２ｅから前記の前ガイド部材３３ａに導かれる用紙Ｓの突入角度θが大きくなる。
【００４５】
一方、上記のソレノイドシリンダー５１をオンさせると、上記のプランジャー５１ａが下方に収縮するように移動し、このプランジャー５１ａに取り付けられた作動レバー５２の他端側が、前記の回動支点５２ａを支点として前記の保持バネ５４に抗して下方に回動し、作動レバー５２が下流側に向けて下方に傾斜すると共に、この作動レバー５２の上に設けられたガイド保持レバー５３が下流側に向けて下方に傾斜するようになる。
【００４６】
そして、作動レバー５２が下流側に向けて下方に傾斜すると、下流側下ガイド部材３２ｂにおける支点ピン３２ｄが、傾斜した作動レバー５２のガイド穴５２ｂに沿って下流側に向けて斜め下方に移動し、またこの支点ピン３２ｄが上流側下ガイド部材３２ａに設けられた案内穴３１ｃに沿って移動する際に、上流側下ガイド部材３２ａの下流側部分がその上流側端部における回動支点３２ｆを支点として下方に回動すると共に、下流側下ガイド部材３２ｂの回動支点３２ｇを支点として、この回動支点３２ｇよりも下流側下ガイド部材３２ｂの下流側の部分が上方に回動し、前記の図４（Ｂ）に示すように、下流側下ガイド部材３２ｂの下流側先端に設けられたガイドプレート３２ｅから前記の前ガイド部材３３ａに導かれる用紙Ｓの突入角度θが小さくなる。
【００４７】
また、作動レバー５２の上に設けられたガイド保持レバー５３が下流側に向けて下方に傾斜すると、下流側上ガイド部材３１ｂに支点ピン３１ｄが、傾斜したガイド保持レバー５３に設けられたガイド穴５３ａに沿って下流側に向けて斜め下方に移動し、またこの支点ピン３１ｄが上流側上ガイド部材３１ａに設けられた案内穴３１ｃに沿って移動する際に、前記の図４（Ｂ）に示すように、下流側上ガイド部材３１ｂの下流側部分が上方に回動されるようになる。
【００４８】
次に、片面にトナー画像が形成された用紙Ｓを戻し経路Ｌ３からレジストローラー１５を通して画像形成経路Ｌ１に搬送させるにあたり、角度調整手段５０にソレノイドシリンダー５１を用いた場合における動作を、図６に示すフローチャートに基づいて説明する。
【００４９】
先ず、前記の環境センサー４０によって湿度を検知し（Ｓ１）、両面通紙の指示があると（Ｓ２）、環境センサー４０によって検知された湿度が所定湿度以上、例えば、湿度６５％以上であるかを判断する（Ｓ３）。
【００５０】
そして、検知された湿度が所定湿度以上である場合には、前記のソレノイドシリンダー５１をオンさせて（Ｓ４）、ガイド部材３１と下ガイド部材３２との間を通して前ガイド部材３３ａ，３３ｂに導く用紙Ｓの突入角度θを小さくし、この状態で、用紙Ｓを戻し経路Ｌ３からレジストローラー１５に案内する（Ｓ６）。
【００５１】
一方、検知された湿度が所定湿度未満である場合には、前記のソレノイドシリンダー５１をオフさせた状態で維持させ（Ｓ５）、ガイド部材３１と下ガイド部材３２との間を通して前ガイド部材３３ａ，３３ｂに導く用紙Ｓの突入角度θを大きくし、この状態で、用紙Ｓを戻し経路Ｌ３からレジストローラー１５に案内する（Ｓ６）。
【００５２】
次いで、上記のレジストローラー１５により用紙Ｓを画像形成経路Ｌ１に搬出し（Ｓ７）、用紙Ｓの画像形成経路Ｌ１への搬出が終了したかを判断し（Ｓ８）、用紙Ｓの画像形成経路Ｌ１への搬出が終了していない場合には、Ｓ７に戻って用紙Ｓを画像形成経路Ｌ１に搬出する動作を続けて行い、用紙Ｓを画像形成経路Ｌ１に搬出させる。
【００５３】
そして、用紙Ｓの画像形成経路Ｌ１への搬出が終了した場合には、ソレノイドシリンダー５１がオフされた状態であるかを判断し（Ｓ９）、ソレノイドシリンダー５１がオフされた状態である場合には、動作を終了する。一方、ソレノイドシリンダー５１がオフされていない場合には、ソレノイドシリンダー５１をオフさせ（Ｓ１０）、その後、動作を終了する。
【符号の説明】
【００５４】
１０  画像形成装置
１１  給紙トレイ
１２  給紙ローラー
１３  搬送ローラー
１５  レジストローラー
１６  排出反転ローラー
１７  排紙部
２０  画像形成部
２１Ｙ，２１Ｍ，２１Ｃ，２１Ｋ  画像形成ユニット
２２  感光体
２３  中間転写ベルト
２４  ２次転写ローラー
２５  定着ローラー
３１  上ガイド部材，３１ａ  上流側上ガイド部材，３１ｂ  下流側上ガイド部材，３１ｃ  案内穴，３１ｄ  支点ピン，３１ｅ  ガイドプレート
３２  下ガイド部材，３２ａ  上流側下ガイド部材，３２ｂ  下流側下ガイド部材，３２ｃ  案内穴，３２ｄ  支点ピン，３２ｅ  ガイドプレート，３２ｆ  上流側下ガイド部材の回動支点，３２ｇ  下流側下ガイド部材の回動支点
３３ａ，３３ｂ  前ガイド部材
４０  環境センサー
５０  角度調整手段
５１  ソレノイドシリンダー，５１ａ  プランジャー
５２  作動レバー，５２ａ  回動支点，５２ｂ  ガイド穴
５３  ガイド保持レバー，５３ａ  ガイド穴
５４  保持バネ
Ｌ１  画像形成経路
Ｌ２  反転搬送経路
Ｌ３  戻し経路
Ｓ  用紙
θ  突入角度
【図１】
2013160931.tif 000003
【図２】
2013160931.tif 000004
【図３】
2013160931.tif 000005
【図４】
2013160931.tif 000006
【図５】
2013160931.tif 000007
【図６】
2013160931.tif 000008